【手続補正書】
【提出日】平成30年5月31日(2018.5.31)
【手続補正１】
【補正対象書類名】特許請求の範囲
【補正対象項目名】全文
【補正方法】変更
【補正の内容】
【特許請求の範囲】
【請求項１】
ワイヤレスネットワークにおいて通信するための方法であって、
サブフレーム内のアップリンク制御チャネル送信のための送信時間間隔（ＴＴＩ）を決定することと、ここにおいて、前記ＴＴＩが、前記サブフレーム中の複数のシンボルのサブセットであるいくつかのシンボルのを備える、
前記ＴＴＩの間に前記アップリンク制御チャネルを介してアップリンク制御データを送信することと、ここにおいて、前記アップリンク制御データを送信することは、肯定応答／否定応答（ＡＣＫ／ＮＡＣＫ）フィードバックの値をＡＣＫまたはＮＡＣＫであるとして示すために、１つまたは複数の異なるサイクリックシフトを使用することによって前記ＡＣＫ／ＮＡＣＫフィードバックを送信することを備える、
を備える方法。
【請求項２】
前記ＴＴＩの持続時間は、シンボル持続時間、２シンボル持続時間、またはスロット持続時間のうちの少なくとも１つを備え、前記サブフレームが２つのスロットを備える、請求項１に記載の方法。
【請求項３】
前記いくつかのシンボルのうちの少なくとも１つは、直交周波数分割多重化（ＯＦＤＭ）シンボルまたはシングルキャリア周波数分割多重化（ＳＣ−ＦＤＭ）シンボルのうちの１つに基づく、請求項１に記載の方法。
【請求項４】
前記ＡＣＫ／ＮＡＣＫフィードバックは、以前のＴＴＩにおけるダウンリンクチャネルを介して送信されたデータに対するＡＣＫ／ＮＡＣＫのインジケータである、請求項１に記載の方法。
【請求項５】
バンドルされたＡＣＫ／ＮＡＣＫフィードバックを備える前記アップリンク制御データを送信するためにＡＣＫ／ＮＡＣＫの１ビットインジケータを使用することによって、複数のコードワードまたは複数のキャリアのうちの少なくとも１つについて前記ＡＣＫ／ＮＡＣＫフィードバックをバンドルすることをさらに備える、請求項１に記載の方法。
【請求項６】
ダウンリンク制御チャネルまたはダウンリンクデータチャネルのうちの少なくとも１つに関連する１つまたは複数のリソースブロック（ＲＢ）グループのＲＢグループインデックスを識別することと、ここにおいて、前記１つまたは複数のＲＢグループの各々が複数のＲＢを備える、
前記識別されたＲＢグループインデックスに基づいて前記ＡＣＫ／ＮＡＣＫフィードバックを送信するためのリソースロケーションを決定することと
をさらに備える、請求項１に記載の方法。
【請求項７】
前記アップリンク制御データを送信することは、サイクリックシフトに少なくとも部分的に基づいてスケジューリング要求を送信することを備える、請求項１に記載の方法。
【請求項８】
前記スケジューリング要求を送信することは、複数の可能性のあるサイクリックシフトのうちの第１のサイクリックシフトに少なくとも部分的に基づき、ここにおいて、前記第１のサイクリックシフトは、前記アップリンク制御データがさらに前記ＡＣＫ／ＮＡＣＫフィードバックを示すことを示し、前記第１のサイクリックシフトとは異なる第２のサイクリックシフトは、前記アップリンク制御データがさらに前記ＡＣＫ／ＮＡＣＫフィードバックを含んではいないことを示す、請求項７に記載の方法。
【請求項９】
前記ＴＴＩにおいてネットワークエンティティにアップリンク基準信号（ＲＳ）を送信するためのトリガを受信することをさらに備え、ここにおいて、送信することが、前記ＴＴＩにおいて前記ＲＳの代わりに前記アップリンク制御データを送信することを備える、請求項１に記載の方法。
【請求項１０】
前記サブフレーム内または別のサブフレーム内の別のアップリンク制御チャネル送信のための異なるＴＴＩを決定することと、
前記異なるＴＴＩにおいてネットワークエンティティにアップリンク基準信号（ＲＳ）を送信するためのトリガを受信することと、
前記異なるＴＴＩにおいて前記アップリンク制御データの代わりに前記ＲＳを送信することと
をさらに備える、請求項１に記載の方法。
【請求項１１】
ネットワークエンティティにアップリンク基準信号（ＲＳ）を送信するためのトリガを受信することと、
前記ＴＴＩにおける前記アップリンク制御データと前記ＲＳとの組合せ送信を示すために第１のサイクリックシフトを利用することによって、前記ＴＴＩにおいて前記アップリンク制御データとともに前記ＲＳを送信することと、ここにおいて、前記第１のサイクリックシフトが、前記ＲＳが前記アップリンク制御データとともに送信されないことを示すために使用される第２のサイクリックシフトとは異なる、
をさらに備える、請求項１に記載の方法。
【請求項１２】
前記アップリンク制御データのペイロードサイズを決定することと、
前記ペイロードサイズに基づいて、前記アップリンク制御チャネルのためのリソースブロック（ＲＢ）の数を決定することと
をさらに備え、
前記アップリンク制御チャネルを送信することは、ＲＢの前記数に少なくとも部分的に基づく、請求項１に記載の方法。
【請求項１３】
ワイヤレスネットワークにおいて通信するためのユーザ機器であって、
トランシーバと、
前記ワイヤレスネットワークにおいて通信するためのバスを介して前記トランシーバと通信可能に結合された少なくとも１つのプロセッサと、
前記バスを介して前記少なくとも１つのプロセッサおよび／または前記トランシーバと通信可能に結合されたメモリと
を備え、
前記少なくとも１つのプロセッサおよび前記メモリは、
サブフレーム内のアップリンク制御チャネル送信のための送信時間間隔（ＴＴＩ）を決定することと、ここにおいて、前記ＴＴＩが、前記サブフレーム中の複数のシンボルのサブセットであるいくつかのシンボルのを備える、
前記トランシーバを介して、前記ＴＴＩの間に前記アップリンク制御チャネルを介してアップリンク制御データを送信することと、ここにおいて、前記少なくとも１つのプロセッサおよび前記メモリは、肯定応答／否定応答（ＡＣＫ／ＮＡＣＫ）フィードバックの値をＡＣＫまたはＮＡＣＫであるとして示すために１つまたは複数の異なるサイクリックシフトを用いることにより、少なくとも部分的に前記ＡＣＫ／ＮＡＣＫフィードバックを送信することによって、前記アップリンク制御データを送信するように動作可能である、
を行うように動作可能である、
ユーザ機器。
【請求項１４】
前記ＴＴＩの持続時間は、シンボル持続時間、２シンボル持続時間、またはスロット持続時間のうちの少なくとも１つを備え、前記サブフレームが２つのスロットを備える、請求項１３に記載のユーザ機器。
【請求項１５】
前記いくつかのシンボルのうちの少なくとも１つは、直交周波数分割多重化（ＯＦＤＭ）シンボルまたはシングルキャリア周波数分割多重化（ＳＣ−ＦＤＭ）シンボルのうちの１つに基づく、請求項１３に記載のユーザ機器。
【請求項１６】
前記ＡＣＫ／ＮＡＣＫフィードバックは、以前のＴＴＩにおけるダウンリンクチャネルを介して送信されたデータに対するＡＣＫ／ＮＡＣＫのインジケータである、請求項１３に記載のユーザ機器。
【請求項１７】
前記少なくとも１つのプロセッサおよび前記メモリは、バンドルされたＡＣＫ／ＮＡＣＫフィードバックを備える前記アップリンク制御データを送信するためにＡＣＫ／ＮＡＣＫの１ビットインジケータを使用することによって、複数のコードワードまたは複数のキャリアのうちの少なくとも１つについて前記ＡＣＫ／ＮＡＣＫフィードバックをバンドルするようにさらに動作可能である、請求項１３に記載のユーザ機器。
【請求項１８】
前記少なくとも１つのプロセッサおよび前記メモリは、
ダウンリンク制御チャネルまたはダウンリンクデータチャネルのうちの少なくとも１つに関連する１つまたは複数のリソースブロック（ＲＢ）グループのＲＢグループインデックスを識別することと、ここにおいて、前記１つまたは複数のＲＢグループの各々が複数のＲＢのを備える、
前記識別されたＲＢグループインデックスに基づいて前記ＡＣＫ／ＮＡＣＫフィードバックを送信するためのリソースロケーションを決定することと
を行うようにさらに動作可能である、請求項１３に記載のユーザ機器。
【請求項１９】
前記少なくとも１つのプロセッサおよび前記メモリは、少なくとも部分的に、サイクリックシフトに少なくとも部分的に基づいてスケジューリング要求を送信することによって、前記アップリンク制御データを送信するように動作可能である、請求項１３に記載のユーザ機器。
【請求項２０】
前記少なくとも１つのプロセッサおよび前記メモリは、複数の可能性のあるサイクリックシフトのうちの第１のサイクリックシフトに少なくとも部分的に基づいて前記スケジューリング要求を送信するように動作可能であり、ここにおいて、前記第１のサイクリックシフトは、前記アップリンク制御データがさらに、前記ＡＣＫ／ＮＡＣＫフィードバックを示すことを示し、前記第１のサイクリックシフトとは異なる第２のサイクリックシフトは、前記アップリンク制御データがさらに、前記ＡＣＫ／ＮＡＣＫフィードバックを含んではいないことを示す、請求項１９に記載のユーザ機器。
【請求項２１】
前記少なくとも１つのプロセッサおよび前記メモリは、前記トランシーバを介して、前記ＴＴＩにおいてネットワークエンティティにアップリンク基準信号（ＲＳ）を送信するためのトリガを受信するように、また前記ＴＴＩにおいて前記ＲＳの代わりに前記アップリンク制御データを送信するようにさらに動作可能である、請求項１３に記載のユーザ機器。
【請求項２２】
前記少なくとも１つのプロセッサおよび前記メモリは、
前記サブフレーム内または別のサブフレーム内の別のアップリンク制御チャネル送信のための異なるＴＴＩを決定することと、
前記異なるＴＴＩにおいてネットワークエンティティにアップリンク基準信号（ＲＳ）を送信するためのトリガを受信することと、
前記トランシーバを介して、前記異なるＴＴＩにおいて前記アップリンク制御データの代わりに前記ＲＳを送信することと
を行うようにさらに動作可能である、請求項１３に記載のユーザ機器。
【請求項２３】
前記少なくとも１つのプロセッサおよび前記メモリは、
ネットワークエンティティにアップリンク基準信号（ＲＳ）を送信するためのトリガを受信することと、
前記ＴＴＩにおける前記アップリンク制御データと前記ＲＳとの組合せ送信を示すために第１のサイクリックシフトを利用することによって、前記トランシーバを介して、前記ＴＴＩにおいて前記アップリンク制御データとともに前記ＲＳを送信することと、ここにおいて、前記第１のサイクリックシフトが、前記ＲＳが前記アップリンク制御データとともに送信されないことを示すために使用される第２のサイクリックシフトとは異なる、
を行うように動作可能である、請求項１３に記載のユーザ機器。
【請求項２４】
前記少なくとも１つのプロセッサおよび前記メモリは、
前記アップリンク制御データのペイロードサイズを決定することと、
前記ペイロードサイズに基づいて、前記アップリンク制御チャネルのためのリソースブロック（ＲＢ）の数を決定することと、
ＲＢの前記数に少なくとも部分的に基づいて前記アップリンク制御チャネルを送信することと
を行うようにさらに動作可能である、請求項１３に記載のユーザ機器。
【請求項２５】
ワイヤレスネットワークにおいて通信するためのユーザ機器であって、
サブフレーム内のアップリンク制御チャネル送信のための送信時間間隔（ＴＴＩ）を決定するための手段と、ここにおいて、前記ＴＴＩが、前記サブフレーム中の複数のシンボルのサブセットであるいくつかのシンボルのを備える、
前記ＴＴＩの間に前記アップリンク制御チャネルを介してアップリンク制御データを送信するための手段と、ここにおいて、送信するための手段は、肯定応答／否定応答（ＡＣＫ／ＮＡＣＫ）フィードバックの値をＡＣＫまたはＮＡＣＫであるとして示すために、１つまたは複数の異なるサイクリックシフトを使用することによって前記ＡＣＫ／ＮＡＣＫフィードバックとして前記アップリンク制御データを送信する、
を備えるユーザ機器。
【請求項２６】
前記ＴＴＩの持続時間は、シンボル持続時間、２シンボル持続時間、またはスロット持続時間のうちの少なくとも１つを備え、前記サブフレームが２つのスロットを備える、請求項２５に記載のユーザ機器。
【請求項２７】
ワイヤレスネットワークにおいて通信するためのコンピュータ実行可能コードを備える非一時的コンピュータ可読記憶媒体であって、前記コードは、
サブフレーム内のアップリンク制御チャネル送信のための送信時間間隔（ＴＴＩ）を決定するためのコードと、ここにおいて、前記ＴＴＩが、前記サブフレーム中の複数のシンボルのサブセットであるいくつかのシンボルのを備える、
前記ＴＴＩの間に前記アップリンク制御チャネルを介してアップリンク制御データを送信するためのコードと、ここにおいて、送信するためのコードは、肯定応答／否定応答（ＡＣＫ／ＮＡＣＫ）フィードバックの値をＡＣＫまたはＮＡＣＫであるとして示すために、１つまたは複数の異なるサイクリックシフトを使用することによって前記ＡＣＫ／ＮＡＣＫフィードバックとして前記アップリンク制御データを送信する、
を備える、非一時的コンピュータ可読記憶媒体。
【請求項２８】
前記ＴＴＩの持続時間は、シンボル持続時間、２シンボル持続時間、またはスロット持続時間のうちの少なくとも１つを備え、前記サブフレームが２つのスロットを備える、請求項２７に記載の非一時的コンピュータ可読記憶媒体。
【手続補正２】
【補正対象書類名】明細書
【補正対象項目名】０１２２
【補正方法】変更
【補正の内容】
【０１２２】
[00139]以上の説明は、本明細書で説明された様々な態様を当業者が実施できるようにするために提供されている。これらの態様への様々な変更は当業者には容易に明らかであり、本明細書で定義された一般的原理は他の態様に適用され得る。したがって、特許請求の範囲は、本明細書で示された態様に限定されるものではなく、クレーム文言に矛盾しない全範囲を与えられるべきであり、単数形の要素への言及は、そのように明記されていない限り、「唯一無二の」を意味するものではなく、「１つまたは複数の」を意味するものである。別段に明記されていない限り、「いくつかの」という用語は１つまたは複数を指している。当業者に知られている、または後に知られることになる、本明細書で説明された様々な態様の要素に対するすべての構造的および機能的均等物が、参照によって本明細書に明確に組み込まれ、特許請求の範囲によって包含されることが意図される。その上、本明細書において開示されるものは、そのような開示が特許請求の範囲において明示的に列挙されているかどうかにかかわらず、公に供されることは意図されていない。「ための手段」という句を使用して要素が明確に列挙されていない限り、いかなるクレーム要素もミーンズプラスファンクションとして解釈されるべきではない。
以下に本願の出願当初の特許請求の範囲に記載された発明を付記する。
［Ｃ１］
ワイヤレスネットワークにおいて通信するための方法であって、
サブフレーム内のアップリンク制御チャネル送信のための送信時間間隔（ＴＴＩ）を決定することと、ここにおいて、前記ＴＴＩが、前記サブフレーム中の複数のシンボルのサブセットであるいくつかのシンボルのを備える、
前記ＴＴＩの間に前記アップリンク制御チャネルを介してアップリンク制御データを送信することと
を備える方法。
［Ｃ２］
前記ＴＴＩの持続時間は、シンボル持続時間、２シンボル持続時間、またはスロット持続時間のうちの少なくとも１つを備え、前記サブフレームが２つのスロットを備える、Ｃ１に記載の方法。
［Ｃ３］
前記いくつかのシンボルのうちの少なくとも１つは、直交周波数分割多重化（ＯＦＤＭ）シンボルまたはシングルキャリア周波数分割多重化（ＳＣ−ＦＤＭ）シンボルのうちの１つに基づく、Ｃ１に記載の方法。
［Ｃ４］
前記アップリンク制御データは、以前のＴＴＩにおけるダウンリンクチャネルを介して送信されたデータの肯定応答／否定応答（ＡＣＫ／ＮＡＣＫ）のインジケータを含む、Ｃ１に記載の方法。
［Ｃ５］
バンドルされた肯定応答／否定応答（ＡＣＫ／ＮＡＣＫ）を備える前記アップリンク制御データを送信するためにＡＣＫ／ＮＡＣＫの１ビットインジケータを使用することによって、複数のコードワードまたは複数のキャリアのうちの少なくとも１つについてＡＣＫ／ＮＡＣＫをバンドルすることをさらに備える、Ｃ１に記載の方法。
［Ｃ６］
ダウンリンク制御チャネルまたはダウンリンクデータチャネルのうちの少なくとも１つに関連する１つまたは複数のリソースブロック（ＲＢ）グループのＲＢグループインデックスを識別することと、ここにおいて、前記１つまたは複数のＲＢグループの各々が複数のＲＢのを備える、
前記識別されたＲＢグループインデックスに基づいて肯定応答／否定応答（ＡＣＫ／ＮＡＣＫ）を送信するためのリソースロケーションを決定することと
をさらに備える、Ｃ１に記載の方法。
［Ｃ７］
前記アップリンク制御データを送信することは、肯定応答／否定応答（ＡＣＫ／ＮＡＣＫ）を、ＡＣＫまたはＮＡＣＫのうちの少なくとも１つを示すために１つまたは複数の異なるサイクリックシフトを使用して送信することを備える、Ｃ１に記載の方法。
［Ｃ８］
前記アップリンク制御データを送信することは、サイクリックシフトに少なくとも部分的に基づいてスケジューリング要求を送信することを備える、Ｃ１に記載の方法。
［Ｃ９］
前記スケジューリング要求を送信することは、前記アップリンク制御データがさらに肯定応答／否定応答（ＡＣＫ／ＮＡＣＫ）の指示を含んでいる第１のサイクリックシフトに少なくとも部分的に基づき、および／または前記アップリンク制御データがさらにＡＣＫ／ＮＡＣＫの前記指示を含んではいない、前記第１のサイクリックシフトとは異なる第２のサイクリックシフトに基づく、Ｃ８に記載の方法。
［Ｃ１０］
前記ＴＴＩにおいてネットワークエンティティにアップリンク基準信号（ＲＳ）を送信するためのトリガを受信することをさらに備え、ここにおいて、送信することが、前記ＴＴＩにおいて前記ＲＳの代わりに前記アップリンク制御データを送信することを備える、Ｃ１に記載の方法。
［Ｃ１１］
前記サブフレーム内または別のサブフレーム内の別のアップリンク制御チャネル送信のための異なるＴＴＩを決定することと、
前記異なるＴＴＩにおいてネットワークエンティティにアップリンク基準信号（ＲＳ）を送信するためのトリガを受信することと、
前記異なるＴＴＩにおいて前記アップリンク制御データの代わりに前記ＲＳを送信することと
をさらに備える、Ｃ１に記載の方法。
［Ｃ１２］
ネットワークエンティティにアップリンク基準信号（ＲＳ）を送信するためのトリガを受信することと、
前記ＴＴＩにおける前記アップリンク制御データと前記ＲＳとの組合せ送信を示すために第１のサイクリックシフトを利用することによって、前記ＴＴＩにおいて前記アップリンク制御データとともに前記ＲＳを送信することと、ここにおいて、前記第１のサイクリックシフトが、前記ＲＳが前記アップリンク制御データとともに送信されないことを示すために使用される第２のサイクリックシフトとは異なる、
をさらに備える、Ｃ１に記載の方法。
［Ｃ１３］
前記アップリンク制御データのペイロードサイズを決定することと、
前記ペイロードサイズに基づいて、前記アップリンク制御チャネルのためのリソースブロック（ＲＢ）の数を決定することと
をさらに備え、
前記アップリンク制御チャネルを送信することは、ＲＢの前記数に少なくとも部分的に基づく、Ｃ１に記載の方法。
［Ｃ１４］
ワイヤレスネットワークにおいて通信するためのユーザ機器であって、
トランシーバと、
前記ワイヤレスネットワークにおいて通信するためのバスを介して前記トランシーバと通信可能に結合された少なくとも１つのプロセッサと、
前記バスを介して前記少なくとも１つのプロセッサおよび／または前記トランシーバと通信可能に結合されたメモリと
を備え、
前記少なくとも１つのプロセッサおよび前記メモリは、
サブフレーム内のアップリンク制御チャネル送信のための送信時間間隔（ＴＴＩ）を決定することと、ここにおいて、前記ＴＴＩが、前記サブフレーム中の複数のシンボルのサブセットであるいくつかのシンボルのを備える、
前記トランシーバを介して、前記ＴＴＩの間に前記アップリンク制御チャネルを介してアップリンク制御データを送信することと
を行うように動作可能である、
ユーザ機器。
［Ｃ１５］
前記ＴＴＩの持続時間は、シンボル持続時間、２シンボル持続時間、またはスロット持続時間のうちの少なくとも１つを備え、前記サブフレームが２つのスロットを備える、Ｃ１４に記載のユーザ機器。
［Ｃ１６］
前記いくつかのシンボルのうちの少なくとも１つは、直交周波数分割多重化（ＯＦＤＭ）シンボルまたはシングルキャリア周波数分割多重化（ＳＣ−ＦＤＭ）シンボルのうちの１つに基づく、Ｃ１４に記載のユーザ機器。
［Ｃ１７］
前記アップリンク制御データは、以前のＴＴＩにおけるダウンリンクチャネルを介して送信されたデータの肯定応答／否定応答（ＡＣＫ／ＮＡＣＫ）のインジケータを含む、Ｃ１４に記載のユーザ機器。
［Ｃ１８］
前記少なくとも１つのプロセッサおよび前記メモリは、バンドルされた肯定応答／否定応答（ＡＣＫ／ＮＡＣＫ）を備える前記アップリンク制御データを送信するためにＡＣＫ／ＮＡＣＫの１ビットインジケータを使用することによって、複数のコードワードまたは複数のキャリアのうちの少なくとも１つについてＡＣＫ／ＮＡＣＫをバンドルするようにさらに動作可能である、Ｃ１４に記載のユーザ機器。
［Ｃ１９］
前記少なくとも１つのプロセッサおよび前記メモリは、
ダウンリンク制御チャネルまたはダウンリンクデータチャネルのうちの少なくとも１つに関連する１つまたは複数のリソースブロック（ＲＢ）グループのＲＢグループインデックスを識別することと、ここにおいて、前記１つまたは複数のＲＢグループの各々が複数のＲＢのを備える、
前記識別されたＲＢグループインデックスに基づいて肯定応答／否定応答（ＡＣＫ／ＮＡＣＫ）を送信するためのリソースロケーションを決定することと
を行うようにさらに動作可能である、Ｃ１４に記載のユーザ機器。
［Ｃ２０］
前記少なくとも１つのプロセッサおよび前記メモリは、少なくとも部分的に、肯定応答／否定応答（ＡＣＫ／ＮＡＣＫ）を、ＡＣＫまたはＮＡＣＫのうちの少なくとも１つを示すために１つまたは複数の異なるサイクリックシフトを使用して送信することによって、前記アップリンク制御データを送信するように動作可能である、Ｃ１４に記載のユーザ機器。
［Ｃ２１］
前記少なくとも１つのプロセッサおよび前記メモリは、少なくとも部分的に、サイクリックシフトに少なくとも部分的に基づいてスケジューリング要求を送信することによって、前記アップリンク制御データを送信するように動作可能である、Ｃ１４に記載のユーザ機器。
［Ｃ２２］
前記少なくとも１つのプロセッサおよび前記メモリは、前記アップリンク制御データがさらに肯定応答／否定応答（ＡＣＫ／ＮＡＣＫ）の指示を含んでいる第１のサイクリックシフトに少なくとも部分的に基づいて、および／または前記アップリンク制御データがさらにＡＣＫ／ＮＡＣＫの前記指示を含んではいない、前記第１のサイクリックシフトとは異なる第２のサイクリックシフトに基づいて、前記スケジューリング要求を送信するように動作可能である、Ｃ２１に記載のユーザ機器。
［Ｃ２３］
前記少なくとも１つのプロセッサおよび前記メモリは、前記トランシーバを介して、前記ＴＴＩにおいてネットワークエンティティにアップリンク基準信号（ＲＳ）を送信するためのトリガを受信するように、また前記ＴＴＩにおいて前記ＲＳの代わりに前記アップリンク制御データを送信するようにさらに動作可能である、Ｃ１４に記載のユーザ機器。
［Ｃ２４］
前記少なくとも１つのプロセッサおよび前記メモリは、
前記サブフレーム内または別のサブフレーム内の別のアップリンク制御チャネル送信のための異なるＴＴＩを決定することと、
前記異なるＴＴＩにおいてネットワークエンティティにアップリンク基準信号（ＲＳ）を送信するためのトリガを受信することと、
前記トランシーバを介して、前記異なるＴＴＩにおいて前記アップリンク制御データの代わりに前記ＲＳを送信することと
を行うようにさらに動作可能である、Ｃ１４に記載のユーザ機器。
［Ｃ２５］
前記少なくとも１つのプロセッサおよび前記メモリは、
ネットワークエンティティにアップリンク基準信号（ＲＳ）を送信するためのトリガを受信することと、
前記ＴＴＩにおける前記アップリンク制御データと前記ＲＳとの組合せ送信を示すために第１のサイクリックシフトを利用することによって、前記トランシーバを介して、前記ＴＴＩにおいて前記アップリンク制御データとともに前記ＲＳを送信することと、ここにおいて、前記第１のサイクリックシフトが、前記ＲＳが前記アップリンク制御データとともに送信されないことを示すために使用される第２のサイクリックシフトとは異なる、  を行うように動作可能である、Ｃ１４に記載のユーザ機器。
［Ｃ２６］
前記少なくとも１つのプロセッサおよび前記メモリは、
前記アップリンク制御データのペイロードサイズを決定することと、
前記ペイロードサイズに基づいて、前記アップリンク制御チャネルのためのリソースブロック（ＲＢ）の数を決定することと、
ＲＢの前記数に少なくとも部分的に基づいて前記アップリンク制御チャネルを送信することと
を行うようにさらに動作可能である、Ｃ１４に記載のユーザ機器。
［Ｃ２７］
ワイヤレスネットワークにおいて通信するためのユーザ機器であって、
サブフレーム内のアップリンク制御チャネル送信のための送信時間間隔（ＴＴＩ）を決定するための手段と、ここにおいて、前記ＴＴＩが、前記サブフレーム中の複数のシンボルのサブセットであるいくつかのシンボルのを備える、
前記ＴＴＩの間に前記アップリンク制御チャネルを介してアップリンク制御データを送信するための手段と
を備えるユーザ機器。
［Ｃ２８］
前記ＴＴＩの持続時間は、シンボル持続時間、２シンボル持続時間、またはスロット持続時間のうちの少なくとも１つを備え、前記サブフレームが２つのスロットを備える、Ｃ２７に記載のユーザ機器。
［Ｃ２９］
ワイヤレスネットワークにおいて通信するためのコンピュータ実行可能コードを備えるコンピュータ可読記憶媒体であって、前記コードは、
サブフレーム内のアップリンク制御チャネル送信のための送信時間間隔（ＴＴＩ）を決定するためのコードと、ここにおいて、前記ＴＴＩが、前記サブフレーム中の複数のシンボルのサブセットであるいくつかのシンボルのを備える、
前記ＴＴＩの間に前記アップリンク制御チャネルを介してアップリンク制御データを送信するためのコードと
を備える、コンピュータ可読記憶媒体。
［Ｃ３０］
前記ＴＴＩの持続時間は、シンボル持続時間、２シンボル持続時間、またはスロット持続時間のうちの少なくとも１つを備え、前記サブフレームが２つのスロットを備える、Ｃ２９に記載のコンピュータ可読記憶媒体。